(57)【要約】【課題】清掃シートが取り扱い易いのみならず、汚れたシート部分の交換が簡単に行える掃除用具を提供する。【解決手段】清掃部２２と、該清掃部２２に取り付けられた棒状の把手２３とを具備している掃除用具である。上記清掃部２２に、中空円筒状の清掃シート収納部２４と、該清掃シート収納部２４内に収納した渦巻き状の清掃シート１０１の自由端を固定する固定具４０とを備える。【選択図】        図１
2004242733.tif 000002
【特許請求の範囲】
【請求項１】
清掃部と、該清掃部に取り付けられた棒状の把手とを具備している掃除用具であって、上記清掃部に、中空円筒状の清掃シート収納部と、該清掃シート収納部内に収納した渦巻き状の清掃シートの自由端を固定する固定具とを備えた掃除用具。
【請求項２】
清掃シート収納部を、蓋部および本体により形成すると共に、蓋部がヒンジを介して本体に開閉自在に取り付けられている請求項１記載の掃除用具。
【請求項３】
蓋部に清掃シートの通る狭い清掃シート引出口を設けた請求項１または２記載の掃除用具。
【請求項４】
蓋部を連結具によって本体に固定するようにした請求項２または３記載の掃除用具。
【請求項５】
清掃部に清掃シートの自由端を固定する固定具を設けた請求項２記載の掃除用具。
【請求項６】
清掃シートに所定の間隔で切れ目を施した請求項１記載の掃除用具。
【発明の詳細な説明】
【０００１】
【発明の属する技術分野】
本発明は、一般家庭用、あるいは、業務用の掃除用具、より詳しくは、長期に渡って連続的に使用することができる掃除用具に関するものである。
【０００２】
【従来の技術】
図４に示すように、清掃部１１と、この清掃部１１に連結された棒状の把手１２とを具備し、清掃部１１には、清掃シート１の両端部を嵌合させて保持するシート保持部１４が設けられた掃除具１０が知られている（例えば、特許文献１参照。）。なお、１３は、継手部を示している。
【０００３】
【特許文献１】
特開平１０−２８６２０６号公報（第３頁、図４）
【０００４】
しかし、この掃除具１０は、清掃シート１を清掃部１１に設けられている４個のシート保持部１４に嵌合させる必要があるため、清掃シート１の交換に際して清掃シート１の取り扱いが面倒である。また、この掃除具１０は、清掃シート１が連続していないので、その都度、パック、あるいは、袋から新しい清掃シート１を取り出して交換する必要がある。
【０００５】
【発明が解決しようとする課題】
この発明は、このような問題を克服するためになされたものであり、清掃シートが取り扱い易いのみならず、汚れたシート部分の交換が簡単に行える掃除用具を提供することを目的とするものである。
【０００６】
【課題を解決するための手段】
上記の課題を達成するため、本発明の掃除用具は、清掃部と、該清掃部に取り付けられた棒状の把手とを具備している掃除用具であって、上記清掃部に、中空円筒状の清掃シート収納部と、該清掃シート収納部内に収納した渦巻き状の清掃シートの自由端を固定する固定具とを備えたことを特徴とするものである。
本発明は、清掃シート収納部を、蓋部および本体により形成すると共に、蓋部がヒンジを介して本体に開閉自在に取り付けられている。また、本発明は、蓋部に清掃シートの通る狭い清掃シート引出口を設けている。また、本発明は、蓋部を連結具によって本体に固定させている。また、本発明は、清掃部に清掃シートの自由端を固定する固定具を設けている。さらに、本発明は、清掃シートに所定の間隔で切れ目が施されている。
【０００７】
【発明の実施の形態】
以下、本発明の実施の形態を図面を用いて説明する。なお、この実施の形態では、清掃シート固定部が１個の場合を例に取る。
【０００８】
図１は、本発明に係る掃除用具の側面図である。図１において、２０は、掃除用具であり、横方向に細長い平板状の清掃部２１と、この清掃部２１に取り付けられた棒状の把手２２とを具備している。なお、２３は、把手２２を取り付ける継手部を示している。
【０００９】
この清掃部２１は、その前部に中空円筒状の清掃シート収納部２４を備えている。この清掃シート収納部２４は、蓋部２５と本体２６から形成されている。そして、両者は、ヒンジ２７により連結され、蓋部２５を開閉できるようになっている。また、蓋部２５の前縁には、清掃シートの通る狭い清掃シート引出口２８が設けられている。
【００１０】
上記蓋部２５は、通常、連結具３０によって本体２６に固定されている。連結具３０は、図２に示すように、蓋部２５に設けられたフック部３１と、本体２６に設けられた爪部３２とによって構成され、フック部３１が爪部３２に係合することによって蓋部２５が本体２６に固定される。
【００１１】
一方、清掃部１１の後部には、清掃シート１０１の自由端を固定するための固定具４０が設けられている。この固定具４０は、清掃部１１に立設させた２枚の下歯４１と、この２枚の下歯４１と協力して清掃シート１０１を挟持するＴ字形の押さえ歯４２とから形成されている。なお、上記下歯４１は、清掃部１１の縁に沿って設けられている。
【００１２】
上記の清掃シート収納部２４の中には、トイレットペーパーのように渦巻き状に巻かれた長尺の清掃シート１０１が収納されている。この清掃シート１０１は、図３に示すように、所定の間隔でミシン目１０２が施されており、このミシン目１０２に沿って切り離すことができるようになっている。
【００１３】
次に、この掃除用具の使い方について説明する。
先ず、トイレットペーパー状の巻清掃シート１０１を清掃シート収納部２４内に収納して蓋部２５を閉じる。その際、清掃シート１０１の自由端を清掃シート引出口２８の外に、若干、引き出しておく。
【００１４】
その後、清掃シート１０１の自由端を掴んで清掃シート１０１を清掃シート収納部２４から引き出しながら清掃部２１の下側に回し、最後に、清掃シート１０１の自由端を清掃部２１の後部にある固定具４０によって固定する。その際、２枚の下歯４１の上に清掃シート１０１を乗せた後、Ｔ字形の押さえ歯４２を２枚の下歯４１の間に押し込んで３者で清掃シート１０１を挟持する。
【００１５】
清掃シート１０１の清掃面が汚れた場合には、Ｔ字形の押さえ歯４２を外した後、汚れた清掃面をミシン目１０２を利用して切り離して廃棄する。しかる後に、上述したように、清掃シート１０１を清掃シート収納部２４から引き出してその自由端を固定具４０に固定する。この操作を繰り返しことによって長期に渡って、あるいは、面積の広い床面を清掃することができる。
【００１６】
清掃シートとしては、例えば、乾式不織布、湿式不織布、スパンポンド不織布、エアレイド法による不織布などが好ましい。特に、エアレイド法で製造された不織布は、不織布を形成している繊維が、不織布の長手方向、幅方向および厚み方向にランダムに３次元配向されているので好ましい。
【００１７】
ここで、エアレイド法による不織布の製法は、繊維を空気流に均一分散させながら搬送し、吐出部に設けた細孔から吹き出した繊維を、下部に設置された金属またはプラスチックのネットに落とし、ネット下部で空気をサクションしながら、繊維のみをネット上に集積する。このように製造された不織布は、不織布の流れ方向、幅方向および厚み方向へ繊維をランダムに３次元配向させることが可能である。また、エアレイド法で製造した不織布は、均一性が良好なので、性能のバラツキも少なくなる。
【００１８】
エアレイド法において、繊維交絡点を互いに結合させ、不織布シートとして一体化するには、加熱して繊維どうしを融着させるのが効率的である。このような熱融着繊維としては、ポリオレフィン系以外にポリエステル系も挙げられる。
【００１９】
このうち、ポリオレフィン系熱融着繊維としては、芯鞘型や偏芯サイドバイサイド型の複合繊維が好適である。鞘あるいは繊維外周部を構成するポリオレフィンとしては、ポリエチレンやポリプロピレンが挙げられる。芯成分あるいは繊維内層部を構成するポリマーとしては、鞘より高融点であり、加熱融着処理温度で変化しないポリマーが好ましい。このような組み合わせとして、例えば、ポリエチレン／ポリプロピレン、ポリエチレン／ポリエステル、ポリプロピレン／ポリエステルなどが挙げられる。これらのポリマーは、本発明の作用・効果を阻害しない範囲で変性されていても差し支えがない。
【００２０】
このような熱融着繊維のウエブを、鞘あるいは繊維外周部のポリマーの融点以上、好ましくは、融点プラス１０℃以上の温度で加熱処理することにより繊維間がしっかり融着され、繊維の脱落現象が皆無となる。
【００２１】
この不織布は、単層構造でもよいが、二層以上の多層構造でもよい。また、不織布の目付けは、通常、２０〜８０ｇ／ｍ２  、好ましくは２５〜６０ｇ／ｍ２  の範囲である。目付けが２０ｇ／ｍ２  未満の低目付けの場合は、破れやすくなったり、塵などの捕捉力が劣る。一方、目付けが８０ｇ／ｍ２  を超える高目付けの場合は、塵などの捕捉力が向上するが、風合いが硬く，取扱い性に欠けるばかりか不経済な面もある。また、所望により、コットンなどを混入させてもよい。
【００２２】
この清掃シートは、乾いた状態で使用すると、床面などを「乾拭き」することができるが、例えば、霧吹きで水などを吹き付けて湿らせると、床面などを「水拭き（雑巾掛け）」することができる。また、予め、ワックスなどを含浸させると塵などの捕捉力が向上する。
【００２３】
以上の説明では、固定具によって清掃シートの自由端を固定する場合について説明したが、所望により、清掃部の前後に固定具を設けて清掃シートの自由端と、清掃シート引出口近傍の２個所で清掃シートを固定するようにしてもよい。
また、連結具３０は、清掃シート収容部２４の蓋２５を固定できるものであれば、どのようなものでも差し支えがない。また、固定具３０は、清掃シートを固定できるものであれば、どのようなものでも差し支えがない。
【００２４】
【発明の効果】
上記のように、本発明は、清掃部と、該清掃部に取り付けられた棒状の把手とを具備している掃除用具であって、上記清掃部に、中空円筒状の清掃シート収納部と、該清掃シート収納部内に収納した渦巻き状の清掃シートの自由端を固定する固定具とを備えているので、掃除によって汚れたシート部分の交換を簡単に行うことができるようになった。また、トイレットペーパー状の長尺の清掃シートを用いるので、掃除によって汚れたシート部分を切り離しながら、長期に渡って使用できる一方、面積の広い床面を清掃することが可能になった。
【図面の簡単な説明】
【図１】本発明に係る掃除用具の側面図である。
【図２】連結部の断面図である。
【図３】清掃シートの平面図である。
【図４】従来の掃除具の斜視図である。
【符号の説明】
２０  掃除用具
２１  清掃部
２２  把手
２４  清掃シート収納部
４０  固定具
１０１  渦巻き状の清掃シート
【図１】
2004242733.tif 000003
【図２】
2004242733.tif 000004
【図３】
2004242733.tif 000005
【図４】
2004242733.tif 000006